(57)【要約】      （修正有）【課題】天板の後方にハンギングフレームを有する家具を配置して使用するにあたり、天板面上に載せ置いた機器の配線を収納する容量を確保し、また、天板面上に載せ置いた書類や事務用品等の落下を防止又は抑制する。【解決手段】前方に天板Ｄ１が配置されるサービスウォールＳＷに、天板面Ｄ１ａに対応する位置に設けられた配線ダクト４と、この配線ダクト４の上方に間隔を設けて配されたハンギングフレーム３と、これら配線ダクト４及びハンギングフレーム３との間の空間を閉塞するパネル５とを具備させるとともに、前記パネル５を移動又は変形させることにより前記配線ダクト４の開口部４ａを変化させることを可能にする。【選択図】図３
2011055876.tif 000002
【特許請求の範囲】
【請求項１】
前方に天板が配置される家具であって、天板面に対応する位置に設けられた配線ダクトと、この配線ダクトの上方に間隔を設けて配されたハンギングフレームと、これら配線ダクト及びハンギングフレームとの間の空間を閉塞するパネルとを具備し、前記パネルを移動又は変形させることにより前記配線ダクトの開口部を変化させることが可能であることを特徴とする家具。
【請求項２】
前記配線ダクトを、天板面よりも少し高い位置に設けている請求項１記載の家具。
【請求項３】
前記配線ダクトの開口部の前縁と前記パネルの下縁との間に隙間を設けている請求項１又は２記載の家具。
【請求項４】
前記パネルを着脱可能である請求項１、２又は３記載の家具。
【請求項５】
前記ハンギングフレームの両端を支持する支柱をさらに具備し、この支柱に取り付けてなるブラケットを介してパネルを取り付けるものであって、このパネルの裏面の上部に上向きの取付爪、このパネルの裏面の下部に突起をそれぞれ設けているとともに、前記ブラケットに、前記取付爪と係り合うスリット及び前記突起を保持するキャッチをそれぞれ設けている請求項１、２、３又は４記載の家具。
【発明の詳細な説明】
【技術分野】
【０００１】
本発明は、医療現場やオフィス等において好適に用いられ、前方に天板を配置してなる家具に関する。
【背景技術】
【０００２】
医療現場等において事務作業を行う際に天板付き家具のみを用いる場合、天板付き家具に多数の機器を配置することにより天板面の使用可能な領域が小さくなることがある。このため、従来より、天板付き家具の後方にハンギングフレームを有する家具を配置し、このハンギングフレームにディスプレイモニタ等を掛けておく態様や、天板の反使用端にハンギングフレームを設けた天板付き家具を使用する態様が知られている（例えば、特許文献１を参照）。
【０００３】
しかし、このような家具を用いても、機器の電源ケーブルや機器に接続してなる情報ケーブル等の配線を収納する容量が小さく天板面上に配線が乱雑に配置される不具合や、天板面上に載せ置いた書類や事務用品等がハンギングフレーム下方から落下する不具合等が依然として存在する。
【先行技術文献】
【特許文献】
【０００４】
【特許文献１】特開２００９−１１７０８号公報
【発明の概要】
【発明が解決しようとする課題】
【０００５】
本発明は以上の点に着目し、このような課題を解決すること、すなわち、配線を収納する容量を確保し、また、天板面上に載せ置いた書類や事務用品等の落下を防止又は抑制することを目的とする。
【課題を解決するための手段】
【０００６】
すなわち本発明に係る家具は、前方に天板が配置される家具であって、天板面に対応する位置に設けられた配線ダクトと、この配線ダクトの上方に間隔を設けて配されたハンギングフレームと、これら配線ダクト及びハンギングフレームとの間の空間を閉塞するパネルとを具備し、前記パネルを移動又は変形させることにより前記配線ダクトの開口部を変化させることが可能であることを特徴とする。
【０００７】
このようなものであれば、前記パネルを移動又は変形させることにより前記配線ダクトの開口部を開口幅が大きくなるように変化させ、この開口部から前記配線ダクトに天板上の機器に接続するための配線を収納しておくことにより、配線を収納する容量を確保できる。また、前記配線ダクトを天板面に対応する位置に設けているとともに、前記パネルによりこの配線ダクトと前記ハンギングフレームとの間の空間を閉塞しているので、この空間から天板面上に載せ置いた書類や事務用品等が落下することを防止又は抑制することができる。
【０００８】
なお、「配線ダクトの開口部を変化させる」とは、前記配線ダクトの開口部が外部に露出する部分の大きさを変化させること全般を示す概念である。
【０００９】
上述した家具において、天板面上に載せ置いた筆記用具等の小物が落下することをより確実に防ぐには、前記配線ダクトを、天板面よりも少し高い位置に設けている構成が望ましい。このようなものであれば、天板の反使用端を前記配線ダクトに密接又は近接させて配置すると、この配線ダクトにより筆記用具等の小物が天板の反使用端縁から天板面外に移動することを規制できるからである。
【００１０】
また、配線ダクト内の配線の保守を行いやすくするためには、前記配線ダクトの開口部の前縁と前記パネルの下縁との間に隙間を設けているものが望ましい。このようなものであれば、前記隙間を、天板上の空間と前記配線ダクト内の空間とを連通する配線挿通空間とし、この配線挿通空間から配線の出し入れを行うことができるからである。また、このような構成であれば、パネルを移動又は変形させる際に、この隙間に手指を差し入れてパネルに手指を掛けることも可能になる。
【００１１】
より多様な使用態様に対応できるようにするための態様として、前記パネルを着脱可能であるものが挙げられる。
【００１２】
そして、このような家具の前記パネルの取付態様の一例として、前記ハンギングフレームの両端を支持する支柱をさらに具備し、この支柱に取り付けてなるブラケットを介してパネルを取り付けるものであって、このパネルの裏面の上部に上向きの取付爪、このパネルの裏面の下部に突起をそれぞれ設けているとともに、前記ブラケットに、前記取付爪と係り合うスリット及び前記突起を保持するキャッチをそれぞれ設けているものが挙げられる。
【発明の効果】
【００１３】
本発明に係る家具の構成によれば、天板面に対応する位置に配線ダクトを設けているので、この配線ダクトに天板上の機器に接続するための配線を収納しておくことにより、配線を収納する容量を確保できる。その上で、この配線ダクトと、該配線ダクトの上方に間隔を設けて配されたハンギングフレームとの間の空間をパネルにより閉塞しているので、このパネルにより前記空間から天板面上に載せ置いた書類や事務用品等が落下することを防止又は抑制することができる。
【図面の簡単な説明】
【００１４】
【図１】本発明の一実施形態を示す全体斜視図。
【図２】同実施形態に係る家具を示す正面図。
【図３】図２に係るＡ−Ａ断面図。
【図４】同実施形態に係るパネルの取付態様を示す側断面図。
【図５】同実施形態に係るパネルの取付態様を示す背面斜視図。
【図６】同実施形態に係るパネルの取付を示す作用説明図。
【図７】本発明の他の実施形態を示す全体斜視図。
【発明を実施するための形態】
【００１５】
本実施形態を図１〜図６を参照しつつ以下に述べる。
【００１６】
本実施形態は、医療現場やオフィス等において好適に用いられ、図１に示すように、天板Ｄ１を脚Ｄ２に支持させてなる天板付き家具たる机Ｄの天板Ｄ１の後方、すなわち反使用端側に本発明の家具たるサービスウォールＳＷを密接又は近接させて使用する家具システムである。
【００１７】
このサービスウォールＳＷは、図１、図２、及び図３に示すように、左右１対に設けたベース１と、このベース１から起立させて設けた左右１対の支柱２と、この支柱２の上端部同士を剛結するハンギングフレーム３と、このハンギングフレーム３の下方に空間を設けて支柱２間に架設した配線ダクト４と、これら配線ダクト４とハンギングフレーム３との間の空間を閉塞するパネル５と、前記配線ダクト４の下方に設けてなり前記支柱２の下部同士を剛結する補強材６とを具備する。
【００１８】
前記ベース１は、前記図２及び図３に示すように、それぞれ、前後方向に延伸するベース本体１１と、このベース本体１１の下方に設けたアジャスタ１２と、前記ベース本体１１の外側面すなわち他方のベース１向かう方向と反対側の面に設けた支柱接続部１３とを具備する。そして、この支柱接続部１３の外側方に、前記支柱２を設けている。
【００１９】
前記支柱２は、前記図１、図２、及び図３に示すように、前記支柱接続部１３の外側端から起立する支柱本体２１と、この支柱本体２１の下方に設けたアジャスタ２２とを具備する。前記支柱本体２１は、中空の金属製の部材である。また、この支柱本体２１には、背面に前記パネル５を高さ位置を変更可能に取り付けるためのフック孔２１ａを複数箇所に形成している。なお、本実施形態では、この支柱本体２１の幅方向位置を机Ｄの脚Ｄ２の幅方向位置と略同一に設定し、机Ｄの脚Ｄ２間に前記ベース本体１１が位置するようにしている。そして、上述したように、この支柱本体２１の上端部同士を、前記ハンギングフレーム３により剛結している。
【００２０】
前記ハンギングフレーム３は、前記図１、図２、及び図３に示すように、左右両端をそれぞれ前記支柱２に固定してなり、支柱２の後部同士を接続する面板状のフレームベース３１と、このフレームベース３１の前方に設けてなり、ディスプレイモニタ等を掛けることが可能なハンガー部材３２とを具備する。このハンガー部材３２は、本実施形態では互いに上下に離間させて複数、より具体的には２本設けてなる。各ハンガー部材３２は、それぞれ、幅方向に延伸するハンガー部材本体３２ａと、このハンガー部材本体３２ａの上下両端からそれぞれ前方かつ相寄る方向に伸びる上下１対の係止爪３２ｂとを少なくとも有する。このハンギングフレーム３に取付対象物を取り付ける際には、該取付対象物の一部を前記係止爪３２ｂ間の空間及び前記係止爪３２ｂと前記ハンガー部材本体３２ａとの間の空間に跨るようにして、該取付対象物をこのハンギングフレーム３に支持させるようにする。その際、前記係止爪３２ｂにより該取付対象物の前方及び下方への移動を規制している。そして、上述したように、このハンギングフレーム３は、前記配線ダクト４の上方に間隔を設けて配している。
【００２１】
前記配線ダクト４は、前記図２及び図３に示すように、底壁４１と、この底壁４１の前端から起立する前壁４２と、前記底壁４１の後端から起立する後壁４３と、この後壁４３の上端から前方に延伸する頂壁４４とを有し、前記前壁４２の上端と前記頂壁４４の前端との間に開口部４ａを設けている。また、この配線ダクト４は、前記天板面Ｄ１ａに対応する位置に設けている。より具体的には、この配線ダクト４は、前記天板面Ｄ１ａよりも少し高い位置に設けている。さらに詳述すると、この配線ダクト４の前壁４２の上端は、前記天板Ｄ１の天板面Ｄ１ａよりも上方に配してなるとともに、この配線ダクト４の前壁４２の下端は、前記天板Ｄ１の天板面Ｄ１ａよりも下方に配してなる。なお、本実施形態では、前記底壁４１の全域、前記前壁４２の下部、及び前記後壁４３の下部は、内外に板状部材を重ね合わせた二重構造である。また、前記頂壁４４、前記後壁４３の外側の板状部材、前記底壁４１の外側の板状部材、及び前記前壁４２の外側の板状部材を、１枚の金属板を屈曲させて構成した一体をなすダクト外側部材として形成している。また、前記後壁４３、前記底壁４１、及び前記前壁４２の内側の板状部材は、１枚の金属板を屈曲させて構成した一体をなすダクト内側部材として形成している。さらに、前記ダクト外側部材を図示しないフック爪を介して支柱２に取り付けるようにしているとともに、このダクト外側部材に前記ダクト内側部材を重ね合わせるようにして取り付けるようにしている。そして、上述したように、この配線ダクト４と前記ハンギングフレーム３との間の空間を、パネル５により閉塞するようにしている。
【００２２】
前記パネル５は、前記図１、図２、図３、図４、及び図５に示すように、正面視矩形面板状をなすパネル本体５１と、このパネル本体５１の周縁部の後方に設けた補強部５２と、前記パネル本体５１の裏面上部の左右両端近傍に設けた上向きの取付爪５３と、前記パネル本体５１の裏面の前記取付爪５３の下方に設けた突起５４とを具備する。ここで、本実施形態では、前記図３に示すように、このパネル５の下端の高さ位置と前記配線ダクト４の頂壁４４の高さ位置を略一致させている。すなわち、このパネル５の下端と前記配線ダクト４の前壁４２の上端との間に隙間を形成していて、この隙間を、天板Ｄ１上の空間と前記配線ダクト４内部とを連通する配線挿通空間Ｓとしている。また、前記補強部５２は、前記パネル本体５１の上下左右各端縁から後方に延伸して設けた側面部５２ａと、この側面部５２ａから前記パネル本体５１と平行に折り返して形成した折り返し部５２ｂとを有する。一方、前記取付爪５３及び前記突起５４は、前記支柱２の背面に取り付けてなるブラケット７とともにこのパネル５を支柱２に取り付けるためのパネル取付機構Ｋを形成する。前記突起５４には、先端近傍に幅方向に略円形状に拡開させて形成した被保持部５４ａを有する。また、前記突起５４とパネル本体５１との間には、前記パネル本体５１と平行な面板状をなす面板状の突起取付部５５１と、この突起取付部５５１からパネル本体５１側に延伸させて設けた対パネル接続部５５２とを有するスペーサ５５を設けている。さらに、前記スペーサ５５の突起取付部５５１の内側端縁からは、ガイド片５５３を後方に延伸させて設けている。なお、前記図３では、前記取付爪５３、前記突起５４、前記スペーサ５５、及び前記ブラケット７は省略して示している。
【００２３】
前記ブラケット７は、前記図４及び図５に示すように、前記パネル本体５１と平行な面板状をなす取付面部７１と、この取付面部７１の上下両端からそれぞれ後方に伸びる上接続部７２及び下接続部７３と、前記上接続部７２の後端から下方に伸び前記支柱２の背面に添接する上添接板部７４と、前記下接続部７３の後端から下方に伸び前記支柱２の背面に添接する下添接板部７５と、これら上添接板部７４及び下添接板部７５からそれぞれ前方に延伸し前記支柱２のフック孔２１ａに係り合うフック爪７６とを具備する。ここで、このブラケット７は、前記上接続部７２の上方から前記ハンギングフレーム３のフレームベース３１にねじ止めするようにしている。さらに、前記取付面部７１には、前記パネル５の取付爪５３と係り合わせてなるスリット７１ａと、このスリット７１ａの下方に設けられ、前記パネル５の突起５４の被保持部５４ａを弾性保持可能なキャッチ７１ｂとを設けている。また、本実施形態では、この取付面部７１の前記支柱２に対向する端縁を屈曲させて支柱２の側面と平行な補強部７１１を設けている。さらに本実施形態では、前記取付面部７１の前記補強部７１１を設けた側と反対側の端縁に切欠き部７１ｘを設けていて、この切欠き部７１ｘの切欠き端縁と前記スペーサ５５のガイド片５５３の端縁とが対向するようにしている。そして、前記切欠き部７１ｘの切欠き端縁と前記スペーサ５５のガイド片５５３の端縁とにより、このパネル５の幅方向の取付位置をガイドするとともに、このパネル５の左右方向のがた止めを行うガイド部を形成している。
【００２４】
ここで、配線ダクト４内の配線の保守を行うべく、この配線ダクト４の開口部４ａを変化させる、すなわちこの開口部４ａが外部に露出する部分の大きさを大きくする際には、以下の手順によりパネル５を移動させて取り外す。
【００２５】
まず、配線挿通空間Ｓに手指を挿入してパネル５の下縁に手指を掛ける。それから、パネル５の下端部に対して前方に向かう作用を加え、前記キャッチ７１ｂにより前記突起５４の被保持部５４ａを保持した保持状態を解除する。次いで、図６の実線に示す位置までパネル５の下端部を下前方に移動する。このとき、前記取付爪５３と前記スリット７１ａとの係り合いが解除される。そして、前記図６の想像線に示すようにこのパネル５をさらに下前方に移動させると、このパネル５を取り外すことができる。なお、このパネル５の取り付けは、以上に説明したこのパネル５の取り外しと逆の手順により行う。
【００２６】
以上に述べたように、本実施形態の構成によれば、天板面Ｄ１ａに対応する位置に配線ダクト４を設けているので、この配線ダクト４に天板Ｄ１上の機器に接続するための配線を収納しておくことにより、配線を収納する容量を確保できる。その上で、この配線ダクト４と、該配線ダクト４の上方に間隔を設けて配されたハンギングフレーム３との間の空間をパネル５により閉塞しているので、このパネル５により前記空間から天板面Ｄ１ａ上に載せ置いた書類や事務用品等が落下することを防止又は抑制することができる。
【００２７】
また、前記配線ダクト４を、天板面Ｄ１ａよりも少し高い位置に設けている、より具体的には、この配線ダクト４の前壁４２の上端を天板面Ｄ１ａよりも上方に、また、この配線ダクト４の前壁４２の下端を天板面Ｄ１ａよりも下方にそれぞれ配しているとともに、天板Ｄ１の反使用端を前記配線ダクト４に密接又は近接させて配置しているので、この配線ダクト４により筆記用具等の小物が天板Ｄ１の反使用端縁から天板面Ｄ１ａ外に移動することを規制でき、従って、天板面Ｄ１ａ上に載せ置いた筆記用具等の小物が落下することをより確実に防ぐことができる。
【００２８】
さらに、前記配線ダクト４の開口部４ａの前縁と前記パネル５の下縁との間に、天板Ｄ１上の空間と前記配線ダクト４内の空間とを連通する配線挿通空間Ｓを設けているので、この配線挿通空間Ｓから配線の出し入れを行うことができ、従って、配線ダクト４内の配線の保守を行いやすくすることができる。また、このような構成であれば、上述したようなパネル５の取り外しの際等のパネル５を移動させる操作を行う際に、この配線挿通空間Ｓに手指を挿入してパネル５に手指を掛けることができ、従って、パネル５の着脱の便も図ることができる。
【００２９】
加えて、前記パネル５が着脱可能であるので、パネル５を取り外して前記配線ダクト４の開口部４ａの全体を外部に露出させて配線ダクト４内の配線の保守の便をより一層図ることができるとともに、パネル５を取り外して従来型のサービスウォールＳＷとして使用する等、より多様な使用態様に対応することもできる。
【００３０】
そして、前記パネル５の裏面の上部に上向きの取付爪５３、このパネル５の裏面の下部に突起５４をそれぞれ設けているとともに、前記支柱２に取り付けてなるブラケット７に、前記取付爪５３と係り合うスリット７１ａ及び前記突起５４を保持するキャッチ７１ｂをそれぞれ設けてなるパネル取付機構Ｋを有するので、ハンギングフレーム３に取り付けた機器がこのパネル５の前方に跨る大型のものであっても、パネル５の着脱をハンギングフレーム３に取り付けた機器に干渉することなく行うことができる。
【００３１】
なお、本発明は、以上に述べた実施形態に限らない。
【００３２】
例えば、図７に示すように、上述した実施形態におけるものと同様に脚Ｄ２に天板面Ｄ１を支持させてなる机Ｄの後方に本発明の他の実施形態に係る家具であるサービスウォールＳＷ２を配するようにしてもよい。
【００３３】
この実施形態に係るサービスウォールＳＷ２は、左右１対に設けたベースＡ１と、このベースＡ１から起立させて設けた左右１対の支柱Ａ２と、この支柱Ａ２の中間部同士を剛結するハンギングフレームＡ３と、このハンギングフレームＡ３の下方に空間を設けて支柱Ａ２間に架設した配線ダクトＡ４と、これら配線ダクトＡ４とハンギングフレームＡ３との間の空間を閉塞するパネルＡ５と、前記配線ダクトＡ４の下方に設けてなり前記支柱Ａ２の下部同士を剛結する図示しない補強材とを具備する。前記配線ダクトＡ４は、天板面Ｄ１ａに対応する位置に設けてなる。そして、前記ハンギングフレームＡ３の上方に離間させて設けた補助ハンギングフレームＡ９１と、前記ハンギングフレームＡ３と前記補助ハンギングフレームＡ９１との間の空間、及び前記補助ハンギングフレームＡ９１同士の間の空間を閉塞する補助パネルＡ９２とをさらに具備する。その上で、このサービスウォールＳＷ２においても、前記パネルＡ５を移動（又は変形）させることにより前記配線ダクトＡ４の開口部Ａ４ａを変化させることが可能である。このようなサービスウォールＳＷ２の構成でも、前記ハンギングフレームＡ３、前記配線ダクトＡ４、及び前記パネルＡ５が、上述した実施形態におけるサービスウォールＳＷのハンギングフレーム３、配線ダクト４、及びパネル５と同様の構成を有するものであれば、上述した実施形態におけるサービスウォールＳＷの構成に係る効果は全て得られる。
【００３４】
また、パネルの取付態様は、上述した実施形態において示したものに限らず、種々の取付構造を採用してよい。例えば、パネルの上部に下向きの取付爪を設け、この下向きの取付爪を支柱、又は支柱に取り付けてなるブラケットに設けたスリットに係り合わせる構成のパネル取付機構や、パネルの上端部を支柱に回転可能に取り付ける構成のパネル取付機構を採用してもよい。この場合、パネルの下部は必ずしも固定する必要はない。一方、パネルの下部にも下向きの取付爪を設け、パネルの上部及び下部の前記取付爪を全て前記スリットに係り合わせる構成のパネル取付機構を採用してもよい。この場合、前記配線ダクトの開口が外部に露出する部分の大きさを変化可能にすべく、パネルの他の部分に対して前後方向に移動可能な可動部をパネルの下端部に設ける態様や、パネルの下端部を弾性変形可能にする態様を採用するとよい。さらに、パネルは必ずしも着脱可能である必要はない。
【００３５】
また、前記配線ダクトを天板面よりも少し高い位置に設ける代わりに、支柱間の天板面の上下に跨る高さ位置に別途小物落下阻止板を架設するようにしてもよい。
【００３６】
さらに、前記配線ダクトの開口部の前縁と前記パネルの下縁との間に隙間を設ける代わりに、例えば、パネルの前面に把手として使用可能な突起や開口などを設けるようにしても、この把手に手を掛けてパネルの移動の便を図ることはできる。
【００３７】
加えて、サービスウォール等の家具の前方に天板付き家具を配置する態様に替えて、配線ダクトと、この配線ダクトの上方に間隔を設けて配されたハンギングフレームと、これら配線ダクト及びハンギングフレームとの間の空間を閉塞するパネルとを具備する家具の配線ダクトの前方に、オプション部材として天板を取り付けて使用する態様を採用してもよい。
【００３８】
そして、サービスウォールに限らず、天板付き家具の後方に配してなる、あるいは前面に天板を取り付けてなる家具全般において、天板面に対応する位置に設けられた配線ダクトと、この配線ダクトの上方に間隔を設けて配されたハンギングフレームと、これら配線ダクト及びハンギングフレームとの間の空間を閉塞するパネルとを具備し、前記パネルを移動又は変形させることにより前記配線ダクトの開口部を変化させることが可能な構成を採用すれば、本発明の最も重要な効果は得られる。また、天板の奥行き方向中央部に配線ダクト及びハンギングフレームを配置可能であるとともに、前後両側からこれら配線ダクト及びハンギングフレームを使用可能な構成を有する家具においても、このような家具の配線ダクトとハンギングフレームとの間の空間を閉塞するパネルとを具備し、前記パネルを移動又は変形させることにより前記配線ダクトの開口部を変化させることが可能な構成を採用すれば、本発明の最も重要な効果は得られる。
【００３９】
その他、本発明の趣旨を損ねない範囲で種々に変形してよい。
【符号の説明】
【００４０】
ＳＷ、ＳＷ２…サービスウォール（家具）
３、Ａ３…ハンギングフレーム
４、Ａ４…配線ダクト
４ａ、Ａ４ａ…開口部
５、Ａ５…パネル
Ｄ１…天板
Ｄ１ａ…天板面
【図１】
2011055876.tif 000003
【図２】
2011055876.tif 000004
【図３】
2011055876.tif 000005
【図４】
2011055876.tif 000006
【図５】
2011055876.tif 000007
【図６】
2011055876.tif 000008
【図７】
2011055876.tif 000009